(57)【要約】      （修正有）【課題】捕獲鳥類、とくに、山鳩の習性を利用して捕獲効率の高い捕獲篭を提供する。【解決手段】細い金網用金属条によって作成された両端を開放した篭体からなる。篭体の前後の開放両端に開閉シャッターを設けるとともに、前記篭体の中央部には、前後方向に揺動する振り子状のとまり木を設けてなる。とまり木の揺動によって、前後両端に設けられた開閉シャッターが閉塞するように作動する。【選択図】図４
0003156953.tif 000002
【実用新案登録請求の範囲】
【請求項１】
細い金網用金属条によって作成された両端を開放した篭体からなるトンネル状の鳥類の捕獲篭であって、
この篭体の前後の開放両端に開閉シャッターを設けるとともに、前記篭体の中央部には、前後方向に揺動する振り子状のとまり木を設けてなり、
このとまり木の揺動によって、前後両端に設けられた開閉シャッターが閉塞するように作動する請求項１に記載の害鳥類捕獲篭。
【請求項２】
篭体の両端に設けられた開閉シャッター間に連動機構が設けられており、一方のシャッターを上方向に持ち上げることによって、これに連動して、他方の扉も持ち上げられる請求項１に記載の害鳥類捕獲篭。
【請求項３】
篭の両端に配置されたそれぞれの開閉シャッターを連動する機構を設けることによって、一方のみの扉を引き上げて開放すると、他方の開放扉もこれに連動して引き上げられる請求項２に記載の害鳥類捕獲篭。
【考案の詳細な説明】
【技術分野】
【０００１】
この考案は、山鳩のような害鳥類を捕獲するための篭に関する。
【背景技術】
【０００２】
近年、山鳩は民家の場所を問わず巣作りをし、これによって種々の害を住民に及ぼしている。
【０００３】
そのため、種々の捕獲器が考案されており、その中でも、軽量で持ち運びが便利で、捕獲物が外から確認でき、その上、捕獲のための各種手段を施しやすいために、下記の特許文献に見られるとおり金網製の捕獲篭が多く提案されている。
【０００４】
その中でも、特許文献１に記載の「有害鳥獣駆除の捕獲檻」は、対象鳥獣の特長、習性に応じて対応できる点で注目すべきものである。ところが、多くの獣類をその捕獲の対象とすることもあって、山鳩クラスの鳥類の捕獲には、篭全体が大きすぎるばかりではなく、捕獲効率も悪い。
【先行技術文献】
【特許文献】
【０００５】
【特許文献１】特開２００３−５２２９６号公報
【特許文献２】特開２００４−２０８６７２号公報
【特許文献３】特開２００７−４９９０４号公報
【特許文献４】特開２００４−１２１０５９号公報
【考案の概要】
【考案が解決しようとする課題】
【０００６】
本考案の課題は、捕獲鳥類、とくに、山鳩の習性を利用して捕獲効率の高い捕獲篭を提供することにある。
【課題を解決するための手段】
【０００７】
本考案は、目線で行き止まり部分があれば進入せず、危険を感じるととまり木に止まるという山鳩の習性を基にして作製した鳥類の捕獲篭である。
【０００８】
本考案は、細い金網用金属条によって作成された両端を開放したトンネル状の鳥類の捕獲篭であって、この篭体の前後両端に開閉扉を設け、且つ、前記篭体の中央部には、前後方向に揺動する振り子状のとまり木を設け、このとまり木の揺動によって、前後両端に設けられた当初開放されている開閉扉が閉塞するように作動する鳥類の捕獲篭である。
【０００９】
まず、捕獲のための準備として、篭の両端の開閉扉を開放状態にセットしておき、篭の中央底面に餌を置く。篭の両端の開閉扉を開放状態へのセットは、両端の開閉扉の間に連動機構を設け、一方の扉を上方向に持ち上げることによって、これに連動して、他方の扉も持ち上げられて両端部の開放状態を作り、一方の端部から他方の端部に通り抜けるトンネル状態を形成する。
【００１０】
本考案の捕獲篭は、セット時においては、篭の両端に配置されたそれぞれの開閉扉の作動を連動する機構を設けることによって、一方のみの扉を引き上げて開放すると、他方の開放扉もこれに連動して引き上げられて、両端の扉は開放されて、仕掛け状態を作り出し、山鳩類の篭内への進入を待つ。
【００１１】
開放状態にある前後端の何れから、山鳩が進入して、用心しながら餌を啄む。篭内に進入した山鳩は、餌を啄むその過程でとまり木に乗り、乗る反動でとまり木は前後に揺動する。この揺動は両方の開閉扉の閉塞機構に伝達されて、閉塞機構の開き扉（シャッター）のセットロックピンが外れ、開閉扉は閉塞状態となり、鳥類は篭体中に補足される。
【考案の効果】
【００１２】
本考案の捕獲篭は、簡単にセットされでき、山鳩のような害鳥を確実に捕獲することができる。
【図面の簡単な説明】
【００１３】
【図１】本発明の捕獲篭の全体構成を示す斜視図である。
【図２】この捕獲篭を上方から見た図である。
【図３】同じく、側方から見た図である。
【図４】開閉扉を開放状態へセットしてから第１シャッターを落下し閉扉を開始した状態を示す図である。
【図５】第１シャッターを閉扉してから第２シャッターが落下し閉扉を開始した状態を示す図である。
【図６】本発明の捕獲篭を工場倉庫スレート壁を利用して設置した例を示す。
【考案を実施するための形態】
【００１４】
以下、本考案の捕獲篭をφ４．０ｍｍ径の普通鉄線を曲げ、溶接等の加工によって作製した各添付図に示す実施例に基づいて説明する。
【実施例】
【００１５】
捕獲篭の構成
図１は、本考案の捕獲篭１０の全体斜視図であって、捕獲のための準備段階として、篭本体１の両端に設けた開閉シャッター２，３を上げて前後をトンネル状にセットした状態を示すものである。図２は、図示しない山鳩を捕獲して前後の開閉シャッター２，３を閉塞状態にした側面図であり、図３は図２を上方から見た図である。
【００１６】
これらの図において、本考案の捕獲篭１０は、断面が縦長の四角形に作られた山鳩の体長と幅のほぼ倍の大きさの内容量を持つ篭本体１を有する。
【００１７】
この篭本体１の前後端には、篭本体１と同様に鉄線によって作られ、且つ、篭本体１の端部側部に垂直方向に摺動によって開閉可能とした第１シャッター２と第２シャッター３が設けられ、両者は開閉機構によって、第１シャッター２を上方に開状態にセットすることによって第２シャッター３も動いて開状態にセットすることができるようになっている。
【００１８】
また、篭本体１の長さ方向のほぼ中央には、前後に揺動するとまり木４が底面より約９０ｍｍの高さのところに設けられ、このとまり木４の揺動によって第１シャッター２と第２シャッター３は開扉の位置から、ほぼ同時に閉塞位置に降下するようになっている。  このとまり木４は、篭本体１の天井部の針金に支持材５を設け、この支持材５にとまり木４を懸垂し、前後に揺動可能に設けたものである。  
【００１９】
シャッターの開扉機構
捕獲篭のセットアップのための第１シャッター２の開扉は、シャッター２下側の落下ガイドのU字部分６を第１セットロックピン７より上に持ち上げて手を放すことによって開扉がセットされる。
【００２０】
セットロックピン７は、引きばね９により、篭体の中央部より外側（第１シャッター２側）に引っぱられている。そのため、第１シャッター２をセットロックピン７より上に持ち上げるとシャッター２の下に、セットロックピン７が入り込みシャッター２は下がらなくなるので開状態になる。
【００２１】
本発明の捕獲篭の作動
本発明の捕獲篭の作動に際しては、先ず、両端のシャッター２，３を開状態にセットして捕獲篭をトンネル状態にし、とまり木４の床面に餌をまき、山鳩の捕獲篭内への進入を待つ。
【００２２】
これらの両端のシャッター２，３の開状態へのセットは、両端の開閉扉の間に連動機構を有する第２セットロックピン８が設けられており、第１シャッター２を持ち上げることによって、シャッター２上端部のハンマー１１が、セットロックピン８端部の作動片１２を作動する。
【００２３】
この作動片１２が作動することにより、セットロックピン８が引きばね９により篭体１の中央部より外側（第２シャッター３側）に引っぱられ、第１シャッター２を開扉してから、これに連結した他方の第２シャッター３を持ち上げて、シャッター３を開扉する。
【００２４】
篭本体１の両端部の開放状態が作られ、一方の端部から他方の端部に通り抜けるトンネル状態を形成する。 第１シャッター２が閉扉の時は、第２のセットロックピン８の端部の作動片１２をシャッター２のハンマー１１が押し、第２シャッター３を持ち上げてもセットロックピン８はシャッター３の下部の落下ガイドのU字部分１３の下に入り込まないので開扉できない。ゆえに両端のシャッター２，３の開状態へのセットは第１、第２シャッターの順に行う。勿論、第１シャッター２のみ開扉も可能であるので、入口１箇所のみでも使用できる。
【００２５】
この状態で山鳩が篭本体に進入しとまり木４に乗ると、とまり木４の揺動によって、開放状態にあるシャッターのセットロックピンが外れ、開放状態からシャッターは落ちて篭本体は、開放状態から閉塞状態になり、山鳩は篭の本体中に補足される。
【００２６】
開閉扉を開放状態へセットしてから第１シャッター２を落下し閉扉を開始した状態を示す図４において、とまり木４が図面上左側へ振れると、第１セットロックピン７が篭中央に引っ張られ、シャッター２の下からセットロックピン７は抜かれ、シャッター２は落下し閉扉する。一方、とまり木４が図面上右側へ振れると、とまり木４の部分端にその下端が掛けられている天秤棒１４が支点１５を解し、第１セットロックピン７が篭中央に引っ張られ、第１シャッター２の下からセットロックピン７は抜かれ、シャッター２は落下し閉扉する。
【００２７】
そして、第１シャッター２を閉扉してから第２シャッター３が落下し閉扉を開始した状態を示す図５に示すように、シャッター３が開扉されている時は、シャッター２が閉扉すると第２セットロックピン８端部の作動片１２にシャッター２上端部のハンマー１１が当り押し動かしてシャッター３の下からセットロックピン８は抜かれ、シャッター３は落下し閉扉し、進入した山鳩を捕獲する。
【００２８】
捕獲篭の設置例
本考案の捕獲篭は、地面、木の上などに設置して、効果的に山鳩などの害鳥を捕獲できるが、もっとも厄介であるのは工場などでの山鳩による被害である。
【００２９】
本考案の捕獲篭は、針金によって、軽く、且つ、取り扱いに便利なように作成されているために、工場のスレート壁に取り付けて山鳩の捕獲に使用することができる。
【００３０】
図６は、本考案の捕獲篭１０を工場倉庫スレート壁を利用して設置した例を示す図である。専用の壁掛け１６をスレート壁に固定し、壁のスレート（波板）のフック留めＣ型鋼１７の上に本考案の捕獲篭１０を置き、捕獲篭１０の一番上の鉄線に、壁掛け１６のフック１８を差し込み設置する。
【符号の説明】
【００３１】
１０  捕獲篭
１  篭本体
２  第１シャッター
３  第２シャッター
４  とまり木
５  支持材
６  U字部分
７  第１セットロックピン
８  第２セットロックピン
９  引きばね
１１  ハンマー
１２  作動片
１３  U字部分
１４  天秤棒
１５  支点
１６  専用壁掛け
１７  フック留めＣ型鋼
１８  フック
【図１】
0003156953.tif 000003
【図２】
0003156953.tif 000004
【図３】
0003156953.tif 000005
【図４】
0003156953.tif 000006
【図５】
0003156953.tif 000007
【図６】
0003156953.tif 000008
【手続補正書】
【提出日】平成21年11月19日(2009.11.19)
【手続補正１】
【補正対象書類名】実用新案登録請求の範囲
【補正対象項目名】全文
【補正方法】変更
【補正の内容】
【実用新案登録請求の範囲】
【請求項１】
細い金網用金属条によって作成された両端を開放した篭体からなるトンネル状の鳥類の捕獲篭であって、
この篭体の前後の開放両端に開閉シャッターを設けるとともに、前記篭体の中央部には、前後方向に揺動する振り子状のとまり木を設けてなり、
このとまり木の揺動によって、前後両端に設けられた開閉シャッターが閉塞するように作動する害鳥類捕獲篭。
【請求項２】
篭体の両端に設けられた開閉シャッター間に連動機構が設けられており、一方の開閉シャッターを上方向に持ち上げることによって、これに連動して、他方の開閉シャッターも持ち上げられる請求項１に記載の害鳥類捕獲篭。
【請求項３】
篭の両端に配置されたそれぞれの開閉シャッターを連動する機構を設けることによって、一方のみの開閉シャッターを引き上げて開放すると、他方の開閉シャッターもこれに連動して引き上げられる請求項２に記載の害鳥類捕獲篭。